(57)【要約】【課題】手すりを利用して浴槽から容易に出入りすることができる浴室構造を提供する。【解決手段】手すり４は、浴室周壁３に取り付けられ、上方から見て浴室周壁３に沿って延び、浴室周壁３において浴槽１に対応する部分と洗い場２に対応する部分とに跨る。浴室周壁３は、浴槽１と洗い場２の両者に面した壁部３１を備える。手すり４は、浴槽１に対応する浴槽対応部４０と、壁部３１において洗い場２に対応する部分に沿った洗い場対応部４１とを備える。浴槽対応部４０は、洗い場対応部４１の長手方向と交差する方向において、洗い場対応部４１と異なる位置に配された部分５２を備える。【選択図】図１
2016174751.tif 000002
【特許請求の範囲】
【請求項１】
浴槽と、
前記浴槽と並べて設けられた洗い場と、
前記浴槽と前記洗い場の周囲に設けられた浴室周壁と、
前記浴室周壁に取り付けられ、上方から見て前記浴室周壁に沿って延び、前記浴室周壁において前記浴槽に対応する部分と前記洗い場に対応する部分とに跨った手すりとを備え、
前記浴室周壁は、前記浴槽と前記洗い場の両者に面した壁部を備え、
前記手すりは、
前記浴槽に対応する浴槽対応部と、
前記壁部において前記洗い場に対応する部分に沿った洗い場対応部とを備え、
前記浴槽対応部は、
前記洗い場対応部の長手方向と交差する方向において、前記洗い場対応部と異なる位置に配された部分を備えたことを特徴とする浴室構造。
【請求項２】
前記壁部は前記浴槽の長手方向の一端側に位置し、
前記浴室周壁は、
前記壁部である第１壁部と、
前記第１壁部に隣接し、前記浴槽の前記洗い場とは反対側に位置した第２壁部とを備え、
前記浴槽対応部は、
前記第１壁部において前記浴槽に対応する部分に沿った第１部分と、
前記第２壁部において前記浴槽に対応する部分に沿った第２部分とを備えたことを特徴とする請求項１に記載の浴室構造。
【請求項３】
前記第２部分は、前記第１部分よりも低い低部を備えたことを特徴とする請求項２に記載の浴室構造。
【請求項４】
前記手すりは、
上方から見て前記第１壁部に沿った第１部材と、
前記第１部材とは別部材で、上方から見て前記第２壁部に沿った第２部材とを備え、
前記第１部材は、
前記第１部分と、
前記洗い場対応部とを備え、
前記第２部材は、
前記第２部分を備え、
前記第１部材の前記第２壁部側の端面と、前記第２部材の前記第１壁部側の端面とが突き合わされたことを特徴とする請求項２または請求項３に記載の浴室構造。
【請求項５】
前記浴槽対応部は、
前記洗い場対応部と比べて、前記浴室周壁の壁面に近い接近部分を備えたことを特徴とする請求項１に記載の浴室構造。
【請求項６】
前記洗い場対応部と前記浴室周壁の壁面との間に隙間が形成され、この隙間の下方に物品を載置するための棚材が設けられたことを特徴とする請求項１〜５のいずれか１項に記載の浴室構造。
【発明の詳細な説明】
【技術分野】
【０００１】
本発明は、浴室周壁に手すりが設けられた浴室構造に関する。
【背景技術】
【０００２】
特許文献１には、システムバスが開示されている。このシステムバスは、浴槽と洗い場の両者に面した浴室壁を備えている。この浴室壁において洗い場に対応する部分には、システムバスの利用者が浴槽から出入りする際に把持するための手すりが設けられている。
【先行技術文献】
【特許文献】
【０００３】
【特許文献１】特開２０１２−２６６３４号公報
【発明の概要】
【発明が解決しようとする課題】
【０００４】
ところで、前記手すりは、浴室壁において洗い場に対応する部分に設けられており、浴槽に近い位置に設けられているものの、浴槽に居る利用者からは手が届きにくい位置にある。このため、前記手すりを利用して浴槽から出入りすることは容易ではなく、特に高齢者や障害者にとっては難しい。
【０００５】
本発明は前記事情に鑑みてなされたものであって、手すりを利用して浴槽から容易に出入りできる浴室構造を提供することを課題とする。
【課題を解決するための手段】
【０００６】
前記課題を解決するために本発明の浴室構造は、浴槽と、前記浴槽と並べて設けられた洗い場と、前記浴槽と前記洗い場の周囲に設けられた浴室周壁と、前記浴室周壁に取り付けられ、上方から見て前記浴室周壁に沿って延び、前記浴室周壁において前記浴槽に対応する部分と前記洗い場に対応する部分とに跨った手すりとを備え、前記浴室周壁は、前記浴槽と前記洗い場の両者に面した壁部を備え、前記手すりは、前記浴槽に対応する浴槽対応部と、前記壁部において前記洗い場に対応する部分に沿った洗い場対応部とを備え、前記浴槽対応部は、前記洗い場対応部の長手方向と交差する方向において、前記洗い場対応部と異なる位置に配された部分を備えたことを特徴とする。
【発明の効果】
【０００７】
本発明に係る浴室構造では、利用者は連続的に手すりを利用して容易に浴槽から出入りできる。
【図面の簡単な説明】
【０００８】
【図１】図１は、本発明の実施形態の浴室構造を示した斜視図である。
【図２】図２は、図１のＡ−Ａ線断面図である。
【図３】図３は、図１のＢ−Ｂ線断面図である。
【図４】図４は、前記浴室構造の手すりの第１部材、棚材、および取付具を示した斜視図である。
【図５】図５は、前記浴室構造において利用者が立ち上がる様子を示した説明図である。
【図６】図６Ａ〜図６Ｃは、前記浴室構造において利用者が洗い場から浴槽に移動する様子を順に示した説明図である。
【図７】図７は、変形例１の浴室構造を示した斜視図である。
【図８】図８は、変形例２の浴室構造を示した斜視図である。
【発明を実施するための形態】
【０００９】
以下、添付図面に基づいて本発明の実施形態について説明する。図１に本実施形態の浴室構造を示す。本実施形態の浴室構造は、浴槽１、浴槽１と並べて設けられた洗い場２（洗い場床）、これら浴槽１と洗い場２の周囲に設けられた浴室周壁３、および浴室周壁３に設けられた手すり４を備えている。
【００１０】
浴室周壁３は、浴室の４方の壁部３１，３２で構成されている。なお、図１では浴室の４方の壁部３１，３２のうち、手すり４が設けられていない壁部の図示を省略している。
【００１１】
本実施形態の浴室は、浴室ユニットであり、各壁部３１，３２は、１枚または複数枚の壁パネルにより構成される。
【００１２】
浴室に設けられた浴槽１は、浴室周壁３の１対の対向する壁部３１の間に亘っている。浴槽１は、前記１対の壁部３１の対向方向に長く、上方から見て矩形状に形成されている。浴槽１は、その短手方向（上方から見て浴槽１の長手方向と直交する方向）の一端が、前記１対の壁部３１とは別の壁部３２に沿って配されている。また、浴室に設けられた洗い場２は、浴槽１の短手方向において浴槽１と並んでいる。
【００１３】
以下、浴槽１の長手方向の一端側に位置し、浴槽１と洗い場２の両者に面する壁部３１を、第１壁部３１と記載する。また、第１壁部３１に隣接し、浴槽１の洗い場２とは反対側に位置した壁部３２を第２壁部３２と記載する。なお、本実施形態の第２壁部３２は、第１壁部３１に対して垂直な壁であるが、上方から見て第１壁部３１に対して９０度以外の角度で傾いた壁であってもよい。
【００１４】
浴槽１の槽部１０は、浴槽１の長手方向に長い。利用者は、浴槽１の槽部１０に溜めた湯に浸かった状態で、上半身を第１壁部３１と反対側に位置させ、かつ脚を第１壁部３１側に伸ばすことができる。
【００１５】
洗い場２は、上方から見て浴槽１の長手方向に長い矩形状に形成されており、前記１対の壁部３１（第１壁部３１とこれに対向する壁部）の間に亘っている。本実施形態の洗い場２は、床パンにより構成されている。
【００１６】
浴室周壁３には、上方から見て浴室周壁３に沿って延びた手すり４が取り付けられている。手すり４は、浴槽１よりも上方に位置している。なお、本実施形態の手すり４は、浴室周壁３に沿って水平方向に延びているが、手すり４の長手方向の一部または全部は、水平方向に対して傾いてもよい。
【００１７】
手すり４は、第１壁部３１から第２壁部３２に亘って設けられており、浴室周壁３において浴槽１に対応する部分と洗い場２に対応する部分とに跨っている。
【００１８】
手すり４は、浴槽１に対応する浴槽対応部４０と、洗い場２に対応する洗い場対応部４１とを備えている。
【００１９】
浴槽対応部４０は、第１壁部３１において浴槽１に対応する部分に沿った第１部分５１と、第２壁部３２において浴槽１に対応する部分に沿った第２部分５２とを備えている。
【００２０】
洗い場対応部４１は、第１壁部３１において洗い場２に対応する部分に沿っている。
【００２１】
具体的に本実施形態の手すり４は、第１部材６１と、第１部材６１とは別部材である第２部材６２とで構成されている。
【００２２】
第１部材６１は、上方から見て第１壁部３１に沿っている。第１部材６１の第２壁部３２側の端部を除く部分は、上方から見て第１壁部３１の壁面３３（浴室内側の面）と平行な直線状である。
【００２３】
第１部材６１は、第１壁部３１において洗い場２に対応する部分と浴槽１に対応する部分とに跨っている。第１部材６１は、第１部分５１と洗い場対応部４１とで構成されている。第１部分５１は、洗い場対応部４１と一体に形成されており、洗い場対応部４１に連続している。
【００２４】
第２部材６２は、上方から見て第２壁部３２に沿っている。第２部材６２の第１壁部３１側の端部を除く部分は、上方から見て第２壁部３２の壁面３４と平行な直線状である。本実施形態の第２部分５２は、第２部材６２である。第２部材６２は、洗い場対応部４１の長さ方向と交差する方向（詳しくは、第１壁部３１と直交する方向）において、洗い場対応部４１と異なる位置に配されている。
【００２５】
第１部材６１は、第１壁部３１に沿って水平方向に長い板状に形成されている。第１部材６１の長手方向と直交する断面形状は、第１部材６１の長手方向に亘って同じである。
【００２６】
第１部材６１は、図２に示すように、第１壁部３１の壁面３３から浴室内側に離れており、第１部材６１と第１壁部３１の壁面３３との間には、隙間４２が形成されている。
【００２７】
第１部材６１の上端部には、第１部材６１の上端部を手でつかんだ際に指を引っ掛けるための指掛け部４３が形成されている。指掛け部４３は、第１部材６１の上端部から第１壁部３１側に向かって突出している。また、第１部材６１の上端面は、水平な平面を備えており、第１部材６１を使ってつたい歩きしやすくなっている。なお、指掛け部４３は、省略可能である。
【００２８】
図１に示すように、第２部材６２は、第２壁部３２に沿って水平方向に長い板状に形成されている。第２部材６２の長手方向と直交する断面形状は、第２部材６２の長手方向に亘って同じである。第１部材６１の長手方向と直交する断面と、第２部材６２の長手方向と直交する断面は同大同形である。つまり、手すり４は、長手方向の全長に亘って断面が同じであり、第２部材６２にも指掛け部４３が形成されている。
【００２９】
第１部材６１の第２壁部３２側の端部は、上方から見て、第２壁部３２に近い部分ほど第１壁部３１から離れるように弧状に曲がった曲がり部４４となっている。
【００３０】
第２部材６２の第１壁部３１側の端部は、上方から見て、第１壁部３１に近い部分ほど第２壁部３２から離れるように弧状に曲がった曲がり部４５となっている。
【００３１】
第１部材６１の第２壁部３２側の端面４６（第１部分５１の第２壁部３２側の端面）と、第２部材６２の第１壁部３１側の端面４７（第２部分５２の第１壁部３１側の端面）は、突き合わされている。これにより第１部材６１と第２部材６２は、外周面を面一にした状態で連続的に繋がっている。
【００３２】
なお、本実施形態の第１部材６１の端面４６と、第２部材６２の端面４７は、接しているだけで結合されていないが、接着剤などを用いて結合されてもよい。
【００３３】
また、本実施形態の第２部材６２は、第１部材６１と別部材であるが、第１部材６１と一体に形成されてもよい。すなわち、洗い場対応部４１と浴槽対応部４０は、ひと続きになるように配置されるのであれば、別部材で構成されてもよいし、一体に形成されてもよい。
【００３４】
本実施形態の手すり４は、複数の取付具７を介して浴室周壁３に取り付けられている。前記複数の取付具７は、第１壁部３１に取り付けられた複数の第１取付具７１と、第２壁部３２に取り付けられた複数の第２取付具７２を含む。
【００３５】
前記複数の第１取付具７１は、第１壁部３１に沿って水平方向に並んでいる。これら複数の第１取付具７１を介して、第１部材６１は、図３に示すように、第１壁部３１に取り付けられている。図１に示すように、本実施形態の第１取付具７１は、第１壁部３１の横幅方向の両端部と中間部のそれぞれに取り付けられている。
【００３６】
前記複数の第２取付具７２は、第２壁部３２に沿って水平方向に並んでおり、第２部材６２はこれら複数の第２取付具７２を介して第２壁部３２に取り付けられている。本実施形態の第２取付具７２は、第２壁部３２の横幅方向の両端部と中間部のそれぞれに取り付けられている。
【００３７】
また、本実施形態の浴室構造は、第１部材６１と第１壁部３１の間に形成された隙間４２の下方に設けられた複数の棚材８（図４参照）を備えている。
【００３８】
図１に示すように、棚材８は、隣り合う第１取付具７１の間のそれぞれに配されている。前記複数の棚材８は、洗い場２の上方に位置した第１棚材８１と、浴槽１の上方に位置した第２棚材８２を含む。
【００３９】
各棚材８は、図２に示すように、第１部材６１に取り付けられた第１支持具９１と、第１壁部３１に取り付けられた第２支持具９２により、支持されており、第１部材６１と第１壁部３１の間に位置している。
【００４０】
利用者は、棚材８の上に物品を置いて、この物品を棚材８上方の隙間４２に収納することができる。すなわち、この場合、隙間４２は収納スペースとして利用される。棚材８に載置される物品としては、例えばシャンプー剤などを入れるボトルや、石けんなどが挙げられる。
【００４１】
各棚材８の上方部の前側には、第１部材６１（洗い場対応部４１または第１部分５１）の上部が位置しており、各棚材８に載置された物品は、第１部材６１に当たることで棚材８の前側に移動することが規制される。
【００４２】
なお、本実施形態の棚材８は、上下方向に貫通した開口部８３が複数設けられており、これら開口部８３を通じて通水可能であるが、板状であってもよい。また、本実施形態の棚材８は、第１部材６１と第１壁部３１の間に配されているが、第１部材６１よりも下方に配されてもよい。また、第１部材６１と第１壁部３１の間には、棚材８に替えて、例えば上方に開口する箱状の収納部材が設けられてもよい。また、棚材８は省略可能である。また、本実施形態では、第１部材６１と第１壁部３１の間に、収納スペースとして利用される隙間４２が設けられているが、隙間４２は物品を収納のために用いられるものに制限されない。
【００４３】
図５に示すように、利用者９は、浴槽１や洗い場２において立ち上がるときや座るときなどに、手すり４をつかむことで、その動作を安定させることができる。また、図６Ａ〜図６Ｃに示すように、利用者９は、手すり４をつかみながら、浴槽１から洗い場２に移動したり、洗い場２から浴槽１に移動したりすることができる。
【００４４】
以上説明した本実施形態の浴室構造は、以下の特徴を有している。浴室構造は、浴槽１、洗い場２、浴室周壁３、および手すり４を備える。洗い場２は、浴槽１と並べて設けられる。浴室周壁３は、浴槽１と洗い場２の周囲に設けられる。手すり４は、浴室周壁３に取り付けられ、上方から見て浴室周壁３に沿って延び、浴室周壁３において浴槽１に対応する部分と洗い場２に対応する部分とに跨る。浴室周壁３は、浴槽１と洗い場２の両者に面した壁部３１（第１壁部３１）を備える。手すり４は、浴槽１に対応する浴槽対応部４０と、壁部３１において洗い場２に対応する部分に沿った洗い場対応部４１とを備える。浴槽対応部４０は、洗い場対応部４１の長手方向と交差する方向において、洗い場対応部４１と異なる位置に配された部分（第２部分５２）を備える。
【００４５】
この特徴を有する浴室構造は、利用者９が洗い場２において立ち上がったり座ったりする際には、手すり４の洗い場対応部４１をつかむことで、その動作を安定させることができる。また、利用者９が浴槽１において立ち上がったり座ったりする際には、手すり４の浴槽対応部４０をつかむことで、その動作を安定させることができる。
【００４６】
また、手すり４が浴室周壁３において浴槽１に対応する部分と洗い場２に対応する部分とに跨るため、利用者９は、連続的に手すり４をつかみながら浴槽１から出入りできる。特にこの場合、浴槽１から出入りする利用者９は、洗い場２に居る場合および浴槽１に居る場合のいずれの場合にも、手すり４に手が届きやすい。このため、容易に浴槽１から出入りできる。
【００４７】
また、浴槽対応部４０を浴槽１に居る利用者９にとって使い勝手のよい位置に配置し、洗い場対応部４１を洗い場に居る利用者９にとって使い勝手のよい位置に配置することができる。
【００４８】
また、本実施形態の浴室構造は、以下の付加的な特徴を有する。壁部３１は浴槽１の長手方向の一端側に位置する。浴室周壁３は、壁部３１である第１壁部３１と、第１壁部に３１に隣接し、浴槽１の洗い場２とは反対側に位置した第２壁部３２とを備える。浴槽対応部４０は、第１壁部３１において浴槽１に対応する部分に沿った第１部分５１と、第２壁部３２において浴槽１に対応する部分に沿った第２部分５２とを備える。
【００４９】
この特徴を有する浴室構造は、手すり４の第２部分５２が、浴槽１に第１壁部３１側を向いて入った利用者９から手の届きやすい位置に配される。このため、浴槽１に居る利用者９は、立ち上がるときや座るときに第２部分５２を容易につかむことができ、これにより、浴槽１における立ち上がり動作や座り動作を安定して行うことができる。また、この第２部分５２は第１部分５１を介して洗い場対応部４１まで繋がっているため、洗い場２から浴槽１に入って座る一連の動作、あるいは浴槽１から立ち上がって洗い場２に出る一連の動作を安定させることができる。
【００５０】
また、本実施形態の浴室構造は、以下の付加的な特徴を有する。手すり４は、上方から見て第１壁部３１に沿った第１部材６１と、第１部材６１とは別部材で、上方から見て第２壁部３２に沿った第２部材６２とを備える。第１部材６１は、第１部分５１と、洗い場対応部４１とを備える。第２部材６２は、第２部分５２を備える。第１部材６１の第２壁部３２側の端面と、第２部材６２の第１壁部３１側の端面とが突き合わされる。
【００５１】
この特徴を有する浴室構造では、第１部材６１と第２部材６２とを組み合わせて、上方から見て交差する第１部分５１と第２部分５２を備えた手すり４が形成される。これら第１部材６１と第２部材６２は、共に簡易形状であり、製造が容易である。また、手すり４は、第１部材６１と第２部材６２を別々に搬送することができ、第１部材６１と第２部材６２が一体に形成された場合と比較して、搬送しやすい。
【００５２】
また、本実施形態の浴室構造は、以下の付加的な特徴を有する。洗い場対応部４１と浴室周壁３の壁面３３との間に隙間４２が形成され、隙間４２の下方に物品を載置するための棚材８（第１棚材８１）が設けられる。
【００５３】
この特徴を有する浴室構造では、利用者９は、棚材８に物品を載置して、この物品を手すり４の洗い場対応部４１と浴室周壁３の間に収納できる。また、棚材８の上方部の前側には、洗い場対応部４１が位置する。このため、手すり４の洗い場対応部４１により、棚材８に載置された物品が前方に落ちることが抑制される。
【００５４】
以下、変形例の浴室構造について説明する。
【００５５】
（変形例１）
図７に変形例１の浴室構造を示す。なお、以下の変形例１の説明では、前記実施形態の対応する構成については同一の符号を付し、前記実施形態と重複する点については説明を省略する。
【００５６】
変形例１の浴室構造では、第２部材６２（第２部分５２）が、第１部分５１よりも低い低部５３を備えている。
【００５７】
具体的に第２部材６２は、第１壁部３１側に位置する高部５４と、第１壁部３１とは反対側に位置する低部５３と、高部５４と低部５３の間に位置した接続部５５とで構成されている。
【００５８】
高部５４は、第２部材６２の第１壁部３１側の端部である。高部５４は、第１部材６１と同じ高さに配されており、第１部材６１に外周面を面一にした状態で連続的に繋がっている。
【００５９】
低部５３は、高部５４よりも低い位置に配されている。低部５３は、高部５４よりも第１壁部３１と直交する方向の長さが長く、その長さは浴槽１の長さの半分を超えている。低部５３は、第２壁部３２において槽部１０に対応する部分に位置している。なお、低部５３は高部５４よりも第１壁部３１と直交する方向の長さが短くてもよい。
【００６０】
接続部５５は、低部５３に近い部分ほど下方に位置するように傾斜している。低部５３は、接続部５５を介して高部５４に連続している。
【００６１】
なお、図７に示す手すり４は、第２部材６２の一部が、洗い場対応部４１よりも下方に配されているが、第２部材６２の全体、あるいは、手すり４において洗い場対応部４１以外の部分が、洗い場対応部４１よりも下方に配されてもよい。
【００６２】
以上説明した変形例１の浴室構造は、以下の特徴を有している。第２部分５２は、第１部分５１よりも低い低部５３を備える。
【００６３】
この特徴を有する浴室構造は、手すり４の低部５３が、浴槽１に居る利用者９から手の届きやすい位置に配される。このため、浴槽１に居る利用者９は、立ち上がるときや座るときに低部５３を容易につかむことができる。一般的に、浴室の利用者９は、洗い場２では椅子を用いて座ることが多く、浴槽１では尻が槽部１０の底部に接した状態で座ることが多い。このため、利用者９が立ち上がったり座ったりする動作は、洗い場２で行われるよりも浴槽１で行われる場合の方が負荷のかかる動作となる。従って、前記のように浴槽１に居る利用者９からつかみやすい位置に手すり４が配されることは、有効である。また、浴槽１の槽部１０の底部は、洗い場２よりも低い位置に配されることが多く、この場合、手すり４の浴槽１に対応する部分と洗い場２に対応する部分とが同じ高さにあると、浴槽１に座った利用者９は、手すり４に手が届きにくい。このため、前記のように手すり４に第１部分５１よりも低い低部５３を設けることは、浴槽１の槽部１０の底部が、洗い場２よりも低い位置に配される場合にも有効である。
【００６４】
（変形例２）
図８に変形例２の浴室構造を示す。なお、以下の変形例２の説明では、前記実施形態の対応する構成については同一の符号を付し、前記実施形態と重複する点については説明を省略する。
【００６５】
変形例２の浴室構造では、手すり４の浴槽対応部４０が、洗い場対応部４１と比べて、浴室周壁３の壁面３３に近い接近部分５６を備えている。
【００６６】
具体的に変形例２の手すり４は、前記実施形態の第１部材６１で構成されており、前記実施形態の第２部材６２を備えていない。すなわち、手すり４は、第１壁部３１において洗い場２に対応する部分に沿って配置された洗い場対応部４１と、第１壁部３１において浴槽１に対応する部分に沿った浴槽対応部４０（前記実施形態の第１部分５１に相当）とで構成されている。
【００６７】
浴槽対応部４０は、洗い場対応部４１と反対側に位置した接近部分５６と、洗い場対応部４１側に位置し、接近部分５６と洗い場対応部４１の間に位置した接続部分５７とで構成されている。
【００６８】
接近部分５６は、洗い場対応部４１よりも第１壁部３１の壁面３３に近く、洗い場対応部４１の長さ方向と交差する方向（詳しくは、第１壁部３１と直交する方向）において、洗い場対応部４１と異なる位置に配されている。
【００６９】
接近部分５６は、上方から見て第１壁部３１の壁面３３と平行である。接近部分５６は、第１壁部３１に沿って水平方向に延びている。接近部分５６は、第１壁部３１において浴槽１の槽部１０に対応する部分に位置している。
【００７０】
接続部分５７は、浴槽対応部４０の洗い場対応部４１側の端部である。接続部分５７は、接近部分５６に近い部分ほど第１壁部３１の壁面３３に近づくように傾斜している。接続部分５７は、接近部分５６および洗い場対応部４１と同じ高さに配されている。接近部分５６は接続部分５７を介して洗い場対応部４１に連続している。
【００７１】
なお、接近部分５６は、洗い場対応部４１よりも下方に配されてもよい。また、変形例２の手すり４は、前記実施形態の第２部材６２、または変形例１の第２部材６２を備えてもよい。この場合、第２部材６２から、第２壁部３２の壁面３４までの距離は、洗い場対応部４１から第１壁部３１の壁面３３までの距離よりも小さいことが好ましいが、洗い場対応部４１から第１壁部３１の壁面３３までの距離以上であってもよい。
【００７２】
また、図８では洗い場２側にのみ棚材８が設けられているが、棚材８は洗い場２側と浴槽１側の両者に設けられてもよい。
【００７３】
以上説明した変形例２の浴室構造は、以下の特徴を有している。浴槽対応部４０は、洗い場対応部４１と比べて、浴室周壁３の壁面３３に近い接近部分５６を備えている。
【００７４】
この特徴を有する浴室構造では、浴槽対応部４０が洗い場対応部４１よりも浴室周壁３の壁面３３に近い位置に配されるため、浴槽１に入った利用者９は、手すり４に接触しにくくなり、浴槽１を利用しやすい。また、利用者９は、例えば浴槽１の第１壁部３１側のフランジ部１１に腰かけたときにも、手すり４に接触しにくくなる。また、浴槽１に入った利用者９は、手すり４による圧迫感を感じにくく、リラックスして浴槽１に入ることができる。また、洗い場対応部４１が浴槽対応部４０よりも浴室周壁３の壁面３３から離れた位置に配されるため、洗い場２に居る利用者９は、立ち上がるときや座るときに洗い場対応部４１を容易につかむことができ、これにより、洗い場２における立ち上がり動作や座り動作を安定して行うことができる。また、洗い場対応部４１が第１壁部３１に接近していると、洗い場２に居る利用者９が洗い場対応部４１をつかんで立ち上がるときに、頭が第１壁部３１に接触しやすい。しかし、当該浴室構造では、洗い場対応部４１が浴槽対応部４０よりも浴室周壁３の壁面３３から離れた位置に配されるため、洗い場２に居る利用者９が洗い場対応部４１をつかんで立ち上がろうとしたときに頭が第１壁部３１に接触し難い。
【００７５】
また、この他、前記実施形態の浴室構造は、本発明の趣旨を逸脱しない範囲で適宜設計変更可能である。
【符号の説明】
【００７６】
１  浴槽
２  洗い場
３  浴室周壁
３１  第１壁部（壁部）
３２  第２壁部
３３  壁面
３４  壁面
４  手すり
４０  浴槽対応部
４１  洗い場対応部
４２  隙間
４６  第１部材の端面
４７  第２部材の端面
５１  第１部分
５２  第２部分
５３  低部
６１  第１部材
６２  第２部材
８  棚材
【図１】
2016174751.tif 000003
【図２】
2016174751.tif 000004
【図３】
2016174751.tif 000005
【図４】
2016174751.tif 000006
【図５】
2016174751.tif 000007
【図６】
2016174751.tif 000008
【図７】
2016174751.tif 000009
【図８】
2016174751.tif 000010